(57)【要約】  【課題】  一つの操作部で画角及び再生に係る複数の調整対象を調整することができる撮像装置を提供する。  【解決手段】  動画を撮像する撮像手段と、複数の操作状態をとる第１操作部５ｆ及び第２操作部５ｇと、動画を再生する記録再生部２５ｄとを備える撮像装置に、第１操作部５ｆの操作状態に応じて、撮像手段の画角の調整及び再生に係る複数の調整対象のいずれかの調整を行う調整手段と、第２操作部５ｇの操作状態に応じて、調整手段が調整する調整対象を選択する選択手段とを備える。【選択図】        図３
2006074633.tif 000002
【特許請求の範囲】
【請求項１】
動画を撮像する撮像手段と、複数の操作状態をとる第１及び第２操作部と、動画を再生する再生手段とを備える撮像装置であって、
前記第１操作部の操作状態に応じて、前記撮像手段の画角の調整及び再生に係る複数の調整対象のいずれかの調整を行う調整手段と、
前記第２操作部の操作状態に応じて、前記調整手段が調整する調整対象を選択する選択手段と
を備えることを特徴とする撮像装置。
【請求項２】
動画を撮像する撮像手段と、複数の操作状態をとる第１及び第２操作部と、動画を再生する再生手段とを備える撮像装置であって、
前記第１操作部の操作状態に応じて、前記撮像手段の画角の調整及び再生に係る複数の調整対象のいずれかの調整を行う調整手段と、
前記第２操作部の操作状態が変化する都度、前記調整手段が調整する調整対象を順次選択する選択手段と
を備えることを特徴とする撮像装置。
【請求項３】
動画を撮像する撮像手段と、複数の操作状態をとる操作部と、動画を再生する再生手段と、筐体とを備える撮像装置において、
前記操作部は、
変位可能に前記筐体に配置されている変位部材を備え、
前記変位部材の位置を検出する位置検出手段と、
該位置検出手段が検出した位置に応じて、前記撮像手段の画角の調整及び再生に係る複数の調整対象のいずれかの調整を行う調整手段と、
前記位置検出手段が検出した位置に応じて、前記調整手段が調整する調整対象を選択する選択手段と
を備えることを特徴とする撮像装置。
【請求項４】
前記選択手段が選択する調整対象を表示する手段を備える
ことを特徴とする請求項１乃至請求項３のいずれか一つに記載の撮像装置。
【請求項５】
動画を撮像する撮像手段と、複数の操作状態をとる第１及び第２操作部と、動画を再生する再生手段とを備える撮像装置であって、
前記第１操作部の操作状態に応じて、前記撮像手段の画角の調整及び再生に係る複数の調整対象のいずれかの調整を行う調整手段と、
各調整対象を示すメニュー画像を表示する手段と、
前記第２操作部の操作により、前記メニュー画像から前記調整手段が調整する調整対象を選択する選択手段と
を備えることを特徴とする撮像装置。
【請求項６】
動画を表示する表示部を備え、
前記再生に係る調整対象は、
前記再生手段が動画を再生する再生速度、動画に付随する音声の音量、前記表示部の明度、又は前記表示部の色合いである
ことを特徴とする請求項１乃至請求項５のいずれか一つに記載の撮像装置。
【請求項７】
前記再生手段が再生する動画を拡大又は縮小して表示する拡大縮小手段を備え、
前記再生に係る調整対象は、
前記拡大縮小手段に係る拡大率又は縮小率である
ことを特徴とする請求項１乃至請求項６のいずれか一つに記載の撮像装置。
【請求項８】
ファインダを備え、
前記調整手段は、
操作状態に応じて、ファインダの表示に係る明度、又はファインダの表示に係る色合いの調整を行う手段を備える
ことを特徴とする請求項１乃至請求項７のいずれか一つに記載の撮像装置。
【発明の詳細な説明】
【技術分野】
【０００１】
本発明は、撮像装置に関し、特に動画を撮像する撮像手段と、該撮像手段の画角を調整するための操作部とを備える撮像装置に関する。
【背景技術】
【０００２】
従来の撮像装置は、動画を撮像する撮像手段、複数の操作状態をとる操作部、及び操作部の操作状態に応じて前記撮像手段の画角を調整する調整手段を備えている。撮像手段は、フォーカスレンズ、バリエータ等を含むレンズ群と、レンズ群により結像した像をアナログの撮像信号に光電変換する撮像素子とを備えており、レンズ群は光軸上を移動自在に構成されている。画角の調整は、モータでレンズ群を移動させることにより行われる。操作部は、撮像装置の筐体に対して変位可能に配置された変位部材を備えており、変位部材が所定位置から変位した場合、所定位置に対する変位部材の位置に応じて、レンズ群は特定の方向に移動し、画角の広狭が調整される（例えば、特許文献１）。
【０００３】
また、撮像装置は撮像手段が撮像した動画を記録及び再生する記録再生部と、動画を表示する表示部と、動画に付随する音声を再生するスピーカとを備えている。記録再生部は、動画の再生機能に加え、動画を再生する再生速度を調整する機能を有している。更に、撮像装置は、動画に付随する音声の音量調整、表示部の明度、及び色合いの調整を行う機能を有している。撮像装置が有する各種機能の調整は、筐体に設けられた再生速度調整スイッチ、音量調整スイッチ、十字キー、又は決定ボタン等により行われる。
【０００４】
このように構成される撮像装置においては、操作部、又は音量調整スイッチ等の操作に応じて、各種機能を適切に調整することができる。
【特許文献１】特開平１０−２００８４４号公報
【発明の開示】
【発明が解決しようとする課題】
【０００５】
しかしながら、撮像装置を小型化した場合、筐体の表面積が小さくなるため、撮像装置が有する各種機能を調整するためのスイッチ又はボタン等を筐体に夫々設けることが困難であるという問題があった。
【０００６】
また、各種機能に対応した複数のスイッチ又はボタンを設けた場合、撮像装置が多くの機能を有する程、高コストになるという問題があった。
【０００７】
本発明は斯かる事情に鑑みてなされたものであり、複数の操作状態をとる第１及び第２操作部を備え、第１操作部の操作状態に応じて画角及び再生に係る複数の調整対象を調整し、第２操作部の操作状態に応じて、調整対象を選択するように構成することにより、一つの操作部で画角及び再生に係る複数の調整対象を調整することができる撮像装置を提供することを目的とする。
【０００８】
また、複数の操作状態をとる第１及び第２操作部を備え、第１操作部の操作状態に応じて画角及び再生に係る複数の調整対象を調整し、第２操作部の操作状態が変化する都度、調整対象を順次選択するように構成することにより、一つの操作部で画角調整、及び再生に係る複数の調整対象を調整することができる撮像装置を提供することを他の目的とする。
【０００９】
更に、変位部材の位置に応じて、画角及び再生に係る複数の調整対象のいずれか一つを選択し、選択された調整対象を調整するように構成することにより、一つの操作部で画角調整、及び再生に係る複数の調整対象を調整することができる撮像装置を提供することを他の目的とする。
【００１０】
更にまた、選択手段が選択する調整対象を表示する手段を備えることにより、選択手段により選択される調整対象を視認することができる撮像装置を提供することを他の目的とする。
【００１１】
更にまた、複数の状態をとる第１及び第２操作部を備え、第１操作部の操作状態に応じて画角及び再生に係る複数の調整対象を調整し、第２操作部の操作により、メニュー画像から調整対象を選択するように構成することによって、一つの操作部で画角調整、及び再生に係る複数の調整対象を調整することができる撮像装置を提供することを他の目的とする。
【００１２】
更にまた、操作状態に応じて、再生速度、音声の音量、表示部の明度、又は表示部の色合いを調整する手段を備えることにより、一つの操作部で画角調整、再生速度調整、音量調整、表示部の明度調整、又は色合いを調整することができる撮像装置を提供することを他の目的とする。
【００１３】
更にまた、記録再生手段が再生する動画を拡大又は縮小して表示する拡大縮小手段を備え、操作状態に応じて、拡大縮小手段に係る拡大率及び縮小率を調整する手段を備えることにより、一つの操作部で画角、又は拡大率及び縮小率を調整することができる撮像装置を提供することを他の目的とする。
【００１４】
更にまた、操作状態に応じて、ファインダの表示に係る明度、色合いを調整する手段を備えることにより、一つの操作部で画角、ファインダの表示に係る明度、又は色合いを調整することができる撮像装置を提供することを他の目的とする。
【課題を解決するための手段】
【００１５】
本発明に係る撮像装置は、動画を撮像する撮像手段と、複数の操作状態をとる第１及び第２操作部と、動画を再生する再生手段とを備える撮像装置であって、前記第１操作部の操作状態に応じて、前記撮像手段の画角の調整及び再生に係る複数の調整対象のいずれかの調整を行う調整手段と、前記第２操作部の操作状態に応じて、前記調整手段が調整する調整対象を選択する選択手段とを備えることを特徴とする。
【００１６】
本発明にあっては、第１操作部の操作状態に応じて、画角及び再生に係る複数の調整対象を調整手段が調整する。そして、選択手段は、第２操作部の操作状態に応じて、調整手段が調整する一の調整対象を選択する。従って、一つの操作部で画角及び再生に係る複数の調整対象を調整することができる。
【００１７】
本発明に係る撮像装置は、動画を撮像する撮像手段と、複数の操作状態をとる第１及び第２操作部と、動画を再生する再生手段とを備える撮像装置であって、前記第１操作部の操作状態に応じて、前記撮像手段の画角の調整及び再生に係る複数の調整対象のいずれかの調整を行う調整手段と、前記第２操作部の操作状態が変化する都度、前記調整手段が調整する調整対象を順次選択する選択手段とを備えることを特徴とする。
【００１８】
本発明にあっては、第１操作部の操作状態に応じて、画角及び再生に係る複数の調整対象を調整手段が調整する。そして、選択手段は、第２操作部の操作状態が変化する都度、調整手段が調整する一の調整対象を順次選択する。従って、一つの操作部で画角及び再生に係る複数の調整対象を調整することができる。
【００１９】
本発明に係る撮像装置は、動画を撮像する撮像手段と、複数の操作状態をとる操作部と、動画を再生する再生手段と、筐体とを備える撮像装置において、前記操作部は、変位可能に前記筐体に配置されている変位部材を備え、前記変位部材の位置を検出する位置検出手段と、該位置検出手段が検出した位置に応じて、前記撮像手段の画角の調整及び再生に係る複数の調整対象のいずれかの調整を行う調整手段と、前記位置検出手段が検出した位置に応じて、前記調整手段が調整する調整対象を選択する選択手段とを備えることを特徴とする。
【００２０】
本発明にあっては、所定位置に対する変位部材の位置に応じて、画角及び再生に係る複数の調整対象を調整手段が調整する。また、変位部材の位置に応じて、調整手段が調整する一の調整対象を選択手段が選択する。従って、一つの操作部で画角及び再生に係る複数の調整対象を調整することができる。
【００２１】
本発明に係る撮像装置は、前記選択手段が選択する調整対象を表示する手段を備えることを特徴とする。
【００２２】
本発明にあっては、選択手段により選択される調整対象を表示することができる。つまり、第１操作部の操作状態に応じて、調整手段が調整する調整対象を表示することができる。
【００２３】
本発明に係る撮像装置は、動画を撮像する撮像手段と、複数の操作状態をとる第１及び第２操作部と、動画を再生する再生手段とを備える撮像装置であって、前記第１操作部の操作状態に応じて、前記撮像手段の画角の調整及び再生に係る複数の調整対象のいずれかの調整を行う調整手段と、各調整対象を示すメニュー画像を表示する手段と、前記第２操作部の操作により、前記メニュー画像から前記調整手段が調整する調整対象を選択する選択手段とを備えることを特徴とする。
【００２４】
本発明にあっては、第１操作部の操作状態に応じて、画角及び再生に係る複数の調整対象を調整手段が調整する。そして、選択手段は、各調整対象を示すメニュー画像を表示しながら、調整手段が調整する一の調整対象を、第２操作部の操作により選択する。従って、一つの操作部で画角及び再生に係る複数の調整対象を調整することができる。
【００２５】
本発明に係る撮像装置は、動画を表示する表示部を備え、前記再生に係る調整対象は、前記再生手段が動画を再生する再生速度、動画に付随する音声の音量、前記表示部の明度、又は前記表示部の色合いであることを特徴とする。
【００２６】
本発明にあっては、選択手段が一の調整対象を選択することにより、１つの操作部で画角、再生速度、音声の音量、表示部の明度、又は表示部の色合いを調整することができる。
【００２７】
本発明に係る撮像装置は、前記再生手段が再生する動画を拡大又は縮小して表示する拡大縮小手段を備え、前記再生に係る調整対象は、前記拡大縮小手段に係る拡大率又は縮小率であることを特徴とする。
【００２８】
本発明にあっては、選択手段が一の調整対象を選択することにより、１つの操作部で画角、拡大縮小手段に係る拡大率及び縮小率を調整することができる。
【００２９】
本発明に係る撮像装置は、ファインダを備え、前記調整手段は、操作状態に応じて、ファインダの表示に係る明度、又はファインダの表示に係る色合いの調整を行う手段を備えることを特徴とする。
【００３０】
本発明にあっては、選択手段が一の調整対象を選択することにより、一つの操作部で画角、ファインダの表示に係る明度、又は色合いを調整することができる。
【発明の効果】
【００３１】
本発明に係る撮像装置にあっては、第２操作部の操作状態に応じて一の調整対象を選択することにより、撮像装置が小型化し、調整対象が増加した場合であっても、低コストで、しかも容易に操作部を筐体に配置することができる。
【００３２】
本発明に係る撮像装置にあっては、第２操作部の操作状態が変化する都度、一の調整対象を順次選択することにより、撮像装置が小型化し、調整対象が増加した場合であっても、低コストで、しかも容易に操作部を筐体に配置することができる。
【００３３】
本発明に係る撮像装置にあっては、変位部材の位置に応じて一の調整対象を選択することにより、撮像装置が小型化し、調整対象が増加した場合であっても、低コストで、しかも容易に操作部を筐体に配置することができる。
【００３４】
本発明に係る撮像装置にあっては、第１操作部で調整することができる調整対象を視認することができる。
【００３５】
本発明に係る撮像装置にあっては、メニュー画像及び第２操作部により設定した調整対象を選択することにより、撮像装置が小型化し、調整対象が増加した場合であっても、低コストで、しかも容易に操作部を筐体に配置することができる。
【００３６】
本発明に係る撮像装置にあっては、撮像装置が小型化した場合であっても、画角、再生速度、音量、表示部の明度、色合いを調整するための操作部を、低コストで、しかも容易に筐体に配置することができる。
【００３７】
本発明に係る撮像装置にあっては、撮像装置が小型化した場合であっても、画角、再生される動画の拡大率及び縮小率を調整するための操作部を、低コストで、しかも容易に筐体に配置することができる。
【００３８】
本発明に係る撮像装置にあっては、撮像装置が小型化した場合であっても、画角、ファインダの明度、色合いを調整するための操作部を、低コストで、しかも容易に筐体に配置することができる。
【発明を実施するための最良の形態】
【００３９】
以下、本発明に係る撮像装置を、その実施の形態を示す図面に基づいて詳述する。
【００４０】
（実施の形態１）
図１は、本発明に係る撮像装置の略示斜視図である。図中１０は、被写体からの光を集光するフォーカスレンズ、バリエータを含むレンズ群であり、レンズ群１０は略直方体の第１筐体１１の正面に設けられている。第１筐体１１の右側面には、略直方体の第２筐体１２が並設されている。第２筐体１２は、把持部を有し、第１筐体１１及び第２筐体１２全体で、略直方体となるように形成されている。
【００４１】
図２は、第２筐体１２の一部を模式的に示す上面図である。第２筐体１２の上面１２ｂには、画角及び再生に係る調整対象を調整するための第１操作部５ｆ、調整対象を選択するための第２操作部５ｇ、及び一時停止ボタン５ｈが設けられている。
【００４２】
第１操作部５ｆは、リニア可変抵抗器とスライダの変位部材５０ｆとからなり、リニア可変抵抗器は筐体の内側に、変位部材５０ｆは筐体の外側に設けられている。筐体の上面１２ｂには、左右方向に亘って溝部１２ｃが形成されており、変位部材５０ｆは、溝部１２ｃに沿って、所定範囲で変位可能に構成されている。変位部材５０ｆは、合成樹脂により形成された矩形の板状部材であり、溝部１２ｃの長手方向の中央部から溝部１２ｃの長手方向に沿って変位するように構成されている。変位部材５０ｆの表面には、画角の狭角を示す「Ｔ」の文字が第１の長手方向側に刻印されており、広角を示す「Ｗ」の文字が第２の長手方向側に刻印されている。
【００４３】
第２操作部５ｇは、上面１２ｂの第１操作部５ｆより正面側寄りに設けられた、３位置切換型のスライドスイッチである。各切換位置に対応する箇所、即ち第１乃至第３の位置には、調整対象を示す「音量」、「再生速度」及び「再生ズーム」の文字が、刻印されている。
【００４４】
第２筐体１２の背面１２ａには、図１に示すように、撮像装置の動作状態を切り換えるためのモード切換スイッチ５ｄ、及び記録再生ボタン５ｅが設けられている。モード切換スイッチ５ｄは、周方向に回動する環状のスイッチであり、モード切換スイッチ５ｄの回動位置により撮像装置の動作状態が切り換わる。動作状態には、動画を撮像する撮像モード、動画を再生する再生モード、及び電源を切り、撮像装置の動作を停止する電源切モードの３つがある。記録再生ボタン５ｅは、撮像モードにおいて撮像を開始及び停止させるボタンであり、特に撮像中は撮像の停止ボタンとして機能し、撮像停止中は撮像の開始ボタンとして機能する。同様に、記録再生ボタン５ｅは、再生モードにおいて再生を開始及び停止させるボタンであり、再生中は再生の停止ボタンとして機能し、再生停止中は再生の開始ボタンとして機能する。
【００４５】
第１筐体１１は、背面視の左側面１１ａにアスペクト比が４／３の表示部４０を枢支しており、左側面１１ａの表示部４０より上側部分には、メニュー表示ボタン５ａ、十字キー５ｂ、決定ボタン５ｃが設けられている。第１筐体１１の背面１１ｂには、液晶の表示面を有する電子式のファインダ４１が設けられている。
【００４６】
図３は、撮像装置の構成を示すブロック図である。撮像装置は、マイクロコンピュータを用いてなる制御部２０、撮像素子２１、及びレンズ駆動部２２を備えている。制御部２０は、撮像素子２１、レンズ駆動部２２、及び後述する各種ハードウェアの動作を制御するために必要なプログラム及び種々のデータ等を予め記憶する図示しないＲＯＭと、プログラムの実行に必要な一時記憶用のＲＡＭとを備えており、前記プログラムを実行することにより、撮像素子２１、レンズ駆動部２２等の動作を制御する。
【００４７】
撮像素子２１は、レンズ群１０で集光されて結像した像をアナログの撮像信号に光電変換するＣＣＤを備え、光電変換した撮像信号を信号処理部２３へ出力する機能を有している。レンズ駆動部２２は、レンズ群１０を移動させるモータ及びレンズ群１０の移動範囲を制限するフォトインタラプタのようなリミットスイッチを備えており、レンズ群１０を光軸方向に移動させることにより、画角を調整する機能を有している。
【００４８】
信号処理部２３は、撮像素子２１から出力された撮像信号をデジタルの動画データにＡＤ変換するＡＤコンバータを備えており、ＡＤ変換した動画データをメモリ２４に書込む機能を有している。信号処理部２３には、マイク６及びスピーカ７が接続している。マイク６は、音声を集音してアナログの音声信号に変換し、変換した音声信号を増幅して信号処理部２３へ出力する。信号処理部２３は、マイク６から出力された音声信号をデジタルの音声データにＡＤ変換し、ＡＤ変換した音声データをメモリ２４に書込む。また信号処理部２３は、音声信号をスピーカ７に出力する機能を有している。スピーカ７は、信号処理部２３から出力される音声信号に基づいて音声を再生する。
【００４９】
また、撮像装置は、メモリ２４が記憶した動画データ及び音声データの圧縮、表示、記録及び再生等の処理を行うデータ処理部２５を備えている。データ処理部２５は、画像処理部２５ａ、圧縮伸張部２５ｂ、ビデオコントローラ２５ｃ、記録再生部２５ｄ、及び拡大縮小部２５ｅを備えている。
【００５０】
画像処理部２５ａは、ＡＤ変換された動画データにガンマ補正、色補正等の画像処理を行う機能を有している。画像処理部２５ａで画像処理された動画データは、圧縮伸張部２５ｂにて、ＭｏｔｉｏｎＪＰＥＧ又はＭＰＥＧの圧縮伸張方式で圧縮される。ＭｏｔｉｏｎＪＰＥＧによれば、時系列の複数の静止画は順次ＪＰＥＧの圧縮伸張方式で圧縮され、圧縮された動画は時系列の複数の静止画として伸張される。また、圧縮伸張部２５ｂは、圧縮された動画データを伸張する機能と、音声データを圧縮及び伸張する機能とを有している。
【００５１】
記録再生部２５ｄは、圧縮伸張部２５ｂで圧縮された動画データ及び音声データを媒体装着部３に装着された半導体メモリ又は磁気テープ等の記録媒体Ａに記録し、記録媒体Ａに記録された動画データ及び音声データを再生する機能を有している。媒体装着部３は、記録媒体Ａを着脱自在に装着するインタフェースを備えている。また、記録再生部２５ｄは、再生速度を変更する機能を有している。例えば、早送り再生、スロー再生、逆再生、逆スロー再生等を行う機能を有している。つまり、動画を構成する時系列の静止画を特定数置きに再生する機能、フレームレートを変更する機能等を有している。
【００５２】
拡大縮小部２５ｅは、記録再生部２５ｄにより再生される動画データに、動画を拡大及び縮小して表示部４０に表示するための画像処理、いわゆる再生ズームに係る画像処理を行う。そして、ビデオコントローラ２５ｃは、画像処理された動画データを表示用のデータに変換して、表示部４０及びファインダ４１へ出力する。
【００５３】
更に、撮像装置は、入出力インタフェースのＩ／Ｏ部２６を備えており、Ｉ／Ｏ部２６を介して、メニュー表示ボタン５ａ、十字キー５ｂ、決定ボタン５ｃ、モード切換スイッチ５ｄ、記録再生ボタン５ｅ、第１操作部５ｆ、第２操作部５ｇ、及び一時停止ボタン５ｈの操作状態が制御部２０により検出されるように構成されている。特に、制御部２０は、溝部１２ｃの長手方向の中央部に対する変位部材５０ｆの位置を検出することができるように構成されている。
【００５４】
図４は、撮像した動画及び動画に付随する音声の記録及び再生に係る制御部２０の処理手順を示すフローチャートである。モード切換スイッチ５ｄが回動して撮像モード又は再生モードに切り換わった場合、制御部２０は、記録フラグ、再生フラグ、及び各種フラグに初期値の０を設定する（ステップＳ１）。記録フラグは、撮像モードにおいて動画の記録を行うか否かを示すフラグである。記録フラグが１の場合、動画データの記録を行うが、記録フラグが０の場合、動画データを表示部４０に出力するのみで、動画データの記録を行わない。再生フラグは、再生モードにおいて、動画の再生を行うか否かを示すフラグである。
【００５５】
また、制御部２０は、記録再生部２５ｄにて再生される動画の再生速度を示す再生速度データ、スピーカ７にて再生される音量を示す音量データ、及び表示部４０に表示する動画の拡大率を示す拡大率データに、夫々標準の再生速度を示す値、標準の音量を示す値、標準の倍率１を設定する（ステップＳ２）。以下、再生速度データの値が１の場合を標準速度とし、１より大きい場合を早送り再生、０より大きく１より小さい場合をスロー再生、−１より大きく０より小さい場合を逆スロー再生、−１以下の場合を逆再生とする。また、再生速度データが０の場合、再生の一時停止とする。
【００５６】
次いで、制御部２０は、モード切換スイッチ５ｄの操作状態を検出して、撮像モードにあるか否かを判定する（ステップＳ３）。撮像モードにあると判定した場合（ステップＳ３：ＹＥＳ）、制御部２０は、動画の撮像及び記録に係るサブルーチンを呼び出し、動画の撮像及び記録に係る処理を実行する（ステップＳ４）。
【００５７】
動画の撮像及び記録に係る処理を終えた場合、又はステップＳ３において撮像モードにないと判定した場合（ステップＳ３：ＮＯ）、制御部２０は、モード切換スイッチ５ｄの操作状態を検出して、再生モードにあるか否かを判定する（ステップＳ５）。再生モードにあると判定した場合（ステップＳ５：ＹＥＳ）、制御部２０は、動画の再生に係るサブルーチンを呼び出し、動画の再生に係る処理を実行する（ステップＳ６）。
【００５８】
動画の再生に係る処理を終えた場合、又はステップＳ５において再生モードにないと判定した場合（ステップＳ５：ＮＯ）、制御部２０は、モード切換スイッチ５ｄの操作状態を検出して、電源切モードにあるか否かを判定する（ステップＳ７）。電源切モードにあると判定した場合（ステップＳ７：ＹＥＳ）、制御部２０は、処理を終了する。電源切モードにないと判定した場合（ステップＳ７：ＮＯ）、制御部２０は、処理をステップＳ３へ戻す。
【００５９】
図５は、動画の撮像及び記録に係るサブルーチンの処理手順を示すフローチャートである。ステップＳ４において動画の撮像及び記録に係るサブルーチンを呼び出した場合、制御部２０は、撮像素子２１から出力された撮像信号及びマイク６から出力された音声信号をデジタルの動画データ及び音声データにＡＤ変換する（ステップＳ１０１）。そして、制御部２０は、ＡＤ変換した動画データを表示用の信号に変換して表示部４０及びファインダ４１へ出力する（ステップＳ１０２）。
【００６０】
次いで、制御部２０は、第１操作部５ｆの操作状態、即ち変位部材５０ｆの位置を検出し、変位部材５０ｆが中央部から変位しているか否かを判定する（ステップＳ１０３）。変位部材５０ｆが変位していると判定した場合（ステップＳ１０３：ＹＥＳ）、制御部２０は、変位部材５０ｆの位置に応じて、レンズ群１０を移動させ、画角を変更する（ステップＳ１０４）。つまり、制御部２０は、変位部材５０ｆが中央部より第１の長手方向側に位置している場合、画角が狭角になる方向へレンズ群１０を移動させ、中央部より第２の長手方向側に位置している場合、画角が広角になる方向へレンズ群１０を移動させる。
【００６１】
ステップＳ１０４の処理を終えた場合、又はステップＳ１０３において変位部材５０ｆが変位していないと判定した場合（ステップＳ１０３：ＮＯ）、制御部２０は、記録再生ボタン５ｅの操作状態を検出して、記録再生ボタン５ｅがオンの状態にあるか否かを判定する（ステップＳ１０５）。記録再生ボタン５ｅがオンの状態にあると判定した場合（ステップＳ１０５：ＹＥＳ）、制御部２０は、記録フラグを０から１へ又は１から０へ変更する（ステップＳ１０６）。つまり、記録フラグが０の場合、記録フラグに１を設定し、記録フラグが１の場合、記録フラグに０を設定する。
【００６２】
ステップＳ１０６の処理を終えた場合、又はステップＳ１０５において記録再生ボタン５ｅがオンの状態にないと判定した場合（ステップＳ１０５：ＮＯ）、制御部２０は、記録フラグが１であるか否かを判定する（ステップＳ１０７）。記録フラグが１であると判定した場合（ステップＳ１０７：ＹＥＳ）、制御部２０は、動画データ及び音声データを圧縮伸張部２５ｂで所定の圧縮伸張方式により圧縮し、圧縮したデータを媒体装着部３に装着された記録媒体Ａに記録する（ステップＳ１０８）。
【００６３】
ステップＳ１０８の処理を終えた場合、又はステップＳ１０７において記録フラグが１でないと判定した場合（ステップＳ１０７：ＮＯ）、制御部２０は、モード切換スイッチ５ｄの操作状態を検出して、撮像モードにあるか否かを判定する（ステップＳ１０９）。撮像モードにあると判定した場合（ステップＳ１０９：ＹＥＳ）、制御部２０は、処理をステップＳ１０１へ戻す。撮像モードにないと判定した場合（ステップＳ１０９：ＮＯ）、制御部２０は、記録フラグに初期値、即ち０を設定し（ステップＳ１１０）、動画の撮像に係るサブルーチンの処理を終える。
【００６４】
図６は、動画の再生に係るサブルーチンの処理手順を示すフローチャートである。ステップＳ６において、動画の再生に係るサブルーチンを呼び出した場合、制御部２０は、記録再生ボタン５ｅの操作状態を検出して、記録再生ボタン５ｅがオンの状態にあるか否かを判定する（ステップＳ２０１）。記録再生ボタン５ｅがオンの状態にあると判定した場合（ステップＳ２０１：ＹＥＳ）、制御部２０は、再生フラグを０から１又は１から０に変更する（ステップＳ２０２）。つまり、再生フラグが０の場合、再生フラグに１を設定し、再生フラグが１の場合、再生フラグに０を設定する。
【００６５】
ステップＳ２０２の処理を終えた場合、又はステップＳ２０１において記録再生ボタン５ｅがオンの状態にないと判定した場合（ステップＳ２０１：ＮＯ）、制御部２０は、再生フラグが１であるか否かを判定する（ステップＳ２０３）。再生フラグが１であると判定した場合（ステップＳ２０３：ＹＥＳ）、制御部２０は、再生速度データを参照し、再生速度に応じて、圧縮された動画データ及び音声データを、記録媒体Ａから読み出し（ステップＳ２０４）、読み出した動画データ及び音声データを圧縮伸張部２５ｂで伸張する（ステップＳ２０５）。
【００６６】
そして、制御部２０は、伸張した動画データに、拡大率データに基づいて画像処理、即ち動画を拡大又は縮小して表示部４０に表示するための動画データを生成する処理を行い、画像処理された動画データを表示用の信号に変換して、表示部４０へ出力する（ステップＳ２０６）。表示部４０は、ビデオコントローラ２５ｃから出力された動画データに基づいて、動画を表示する。また、制御部２０は、伸張した音声データを、アナログの音声信号に変換し、変換した音声信号を音量データの値に応じた増幅率で増幅してスピーカ７へ出力する（ステップＳ２０７）。スピーカ７は、信号処理部２３から出力された音声信号に基づいて音声を再生する。
【００６７】
ステップＳ２０７の処理を終えた場合、又はステップＳ２０３において再生フラグが１でないと判定した場合（ステップＳ２０３：ＮＯ）、制御部２０は、再生に係る調整対象の調整に係るサブルーチンを呼び出し、調整対象を調整する処理を実行する（ステップＳ２０８）。
【００６８】
調整に係るサブルーチンを終えた場合、制御部２０は、一時停止ボタン５ｈの操作状態を検出して、一時停止ボタン５ｈがオンの状態にあるか否かを判定する（ステップＳ２０９）。一時停止ボタン５ｈがオンの状態にあると判定した場合（ステップＳ２０９：ＹＥＳ）、制御部２０は、再生速度データを変更する（ステップＳ２１０）。具体的には、再生速度データが１の場合、再生速度データを０に変更し、再生速度データが０の場合、再生速度データを１に変更する。再生速度データが０の場合、再生速度は０となり、動画の再生が一時停止する。
【００６９】
ステップＳ２１０の処理を終えた場合、又はステップＳ２０９において一時停止ボタン５ｈがオンの状態にないと判定した場合（ステップＳ２０９：ＮＯ）、制御部２０は、モード切換スイッチ５ｄの操作状態を検出して、再生モードにあるか否かを判定する（ステップＳ２１１）。再生モードにあると判定した場合（ステップＳ２１１：ＹＥＳ）、制御部２０は、処理をステップＳ２０１へ戻す。再生モードにないと判定した場合（ステップＳ２１１：ＮＯ）、制御部２０は、再生フラグに初期値の０を設定する（ステップＳ２１２）。そして、制御部２０は、再生速度データ、拡大率データに夫々初期値の１を設定して（ステップＳ２１３）、動画の再生に係るサブルーチンの処理を終える。
【００７０】
図７は、調整対象の調整に係るサブルーチンの処理手順を示すフローチャートである。ステップＳ２０８において、調整に係るサブルーチンを呼び出した場合、制御部２０は、第１操作部５ｆの操作状態を検出して、変位部材５０ｆが中央部から変位しているか否かを判定する（ステップＳ３０１）。変位部材５０ｆが変位していると判定した場合（ステップＳ３０１：ＹＥＳ）、制御部２０は、第２操作部５ｇの操作状態を検出して、第２操作部５ｇが第１の位置にあるか否かを判定する（ステップＳ３０２）。
【００７１】
第２操作部５ｇが第１の位置にあると判定した場合（ステップＳ３０２：ＹＥＳ）、制御部２０は、変位部材５０ｆの位置に応じて音量データの値を変更する（ステップＳ３０３）。具体的には、変位部材５０ｆが中央部より第１の長手方向側に位置している場合、音量データの値を増加させ、変位部材５０ｆが中央部より第２の長手方向側に位置している場合、音量データの値を減少させる。音声データの増加率又は減少率は、一定である。なお、増加率又は減少率を変位部材５０ｆの位置に応じて変更しても良い。
【００７２】
ステップＳ３０３の処理を終えた場合、又は第２操作部５ｇが第１の位置にないと判定した場合（ステップＳ３０２：ＮＯ）、制御部２０は、第２操作部５ｇの操作状態を検出して、第２操作部５ｇが第２の位置にあるか否かを判定する（ステップＳ３０４）。
【００７３】
第２操作部５ｇが第２の位置にあると判定した場合（ステップＳ３０４：ＹＥＳ）、制御部２０は、変位部材５０ｆの位置に応じて再生速度データの値を変更する（ステップＳ３０５）。
【００７４】
具体的には、変位部材５０ｆが中央部より第１の長手方向側に位置している場合、再生速度データの値を増加させる。特に、一時停止状態又はスロー再生を行っている場合、即ち再生速度データが０以上１未満の場合、１を超えない範囲で再生速度データを増加させる。再生速度データを増加させることにより、動画のスロー再生、及び早送り再生が実現する。
【００７５】
変位部材５０ｆが中央部より第２の長手方向側に位置している場合、再生速度データを０以下に減少させる。特に、一時停止状態又は逆スロー再生を行っている場合、再生速度データが−１より大きく０より小さい範囲で再生速度データを減少させる。また、標準速度で再生を行っている場合、即ち再生速度データが１の場合、−１以下の範囲において再生速度データを減少させる。再生速度データを減少させることにより、動画の逆再生、及び逆スロー再生が実現する。
【００７６】
ステップＳ３０５の処理を終えた場合、又は第２操作部５ｇが第２の位置にないと判定した場合（ステップＳ３０４：ＮＯ）、制御部２０は、第２操作部５ｇの操作状態を検出して、第２操作部５ｇが第３の位置にあるか否かを判定する（ステップＳ３０６）。
【００７７】
第２操作部５ｇが第３の位置にあると判定した場合（ステップＳ３０６：ＹＥＳ）、制御部２０は、変位部材５０ｆの位置に応じて拡大率データの値を変更する（ステップＳ３０７）。具体的には、変位部材５０ｆが中央部より第１の長手方向側に位置している場合、拡大率データの値を増加させ、変位部材５０ｆが中央部より第２の長手方向側に位置している場合、１以上の範囲において拡大率データの値を減少させる。拡大率データの増加率又は減少率は、一定である。
【００７８】
ステップＳ３０７の処理を終えた場合、ステップＳ３０６において第２操作部５ｇが第３の位置にないと判定した場合（ステップＳ３０６：ＮＯ）、又はステップＳ３０１において変位部材５０ｆが変位していないと判定した場合（ステップＳ３０１：ＮＯ）、制御部２０は、調整に係るサブルーチンの処理を終える。
【００７９】
このように構成される撮像装置にあっては、第２操作部５ｇの操作状態に応じて調整対象を選択し、第１操作部５ｆの操作状態を検出することにより、画角、音量、再生速度、及び拡大率を調整する。従って、一つの第１操作部５ｆを操作することにより、画角、音量、再生速度、及び拡大率を調整することができる。
【００８０】
なお、実施の形態１にあっては、第２操作部５ｇは３状態をとるスイッチであるが、これに限らず２状態、又は４状態以上をとるスイッチであっても良い。
【００８１】
また、スライドスイッチを用いて第２操作部５ｇを構成しているが、これに限らず、２状態をとる押しボタンスイッチ、又はダイヤルスイッチ等を用いて第２操作部５ｇを構成しても良い。
【００８２】
（実施の形態２）
図８は、実施の形態２に係る第２筐体の一部を模式的に示す上面図である。実施の形態２に係る撮像装置は、第１操作部１０５ｆ及び第２操作部１０５ｇを備えている。第１操作部１０５ｆは、実施の形態１と同様のリニア可変抵抗器と変位部材１５０ｆとを備えている。変位部材１５０ｆは、更に押圧を検出する押圧検出部を備え、押しボタンスイッチとしての機能を兼ねている。第２操作部１０５ｇは、２状態をとるａ接点の押しボタンスイッチである。第１操作部１０５ｆの変位及び押圧状態と、第２操作部１０５ｇの操作状態とは、制御部２０により検出されるように構成されている。
【００８３】
電源スイッチがオンになった場合、制御部２０は、ステップＳ１の処理を実行し、ステップＳ２において各種データの初期設定を行う。特に、制御部２０は選択データに０を設定する。選択データは、再生に係る調整対象を示すデータである。以下、制御部２０は、図４乃至図６に示した処理と同様の処理を実行する。
【００８４】
図９は、調整対象の調整に係るサブルーチンの処理手順を示すフローチャートである。制御部２０は、ステップＳ２０８において、調整に係るサブルーチンを呼び出した場合、制御部２０は、第２操作部１０５ｇの操作状態を検出し、第２操作部１０５ｇがオンの状態にあるか否かを判定する（ステップＳ４０１）。第２操作部１０５ｇがオンの状態にあると判定した場合（ステップＳ４０１：ＹＥＳ）、制御部２０は、選択データを変更する（ステップＳ４０２）。具体的には、選択データに１を加算し、値が０から４の範囲で循環するように変更する。つまり、選択データが４以外の場合、１を加算し、選択データが４の場合、選択データを０に戻す。
【００８５】
ステップＳ４０２の処理を終えた場合、又はステップＳ４０１において第２操作部１０５ｇがオンの状態にないと判定した場合（ステップＳ４０１：ＮＯ）、制御部２０は、選択データに係る調整対象を示す画像を表示部４０に表示する（ステップＳ４０３）。
【００８６】
図１０は、表示部４０に表示された調整対象の一例を示す画像の模式図である。表示部４０に表示された動画には、調整対象を示す画像８ａ、メータ８ｂ、音量の大きさを示す矢印８ｃがＯＳＤ（Ｏｎ  Ｓｃｒｅｅｎ  Ｄｉｓｐｌａｙ）表示されている。画像８ａは、調整対象として音量が選択されていることを示している。メータ８ｂは、調整可能な音量の範囲を示しており、矢印８ｃは、調整可能な範囲における音量、即ち音量データの大きさを示している。他の調整対象が選択されている場合も同様にして、各調整対象を示す図１０のような画像が表示される。
【００８７】
次いで、制御部２０は、第１操作部１０５ｆの操作状態、即ち変位部材１５０ｆの位置を検出して、変位部材１５０ｆが変位しているか否かを判定する（ステップＳ４０４）。変位部材１５０ｆが変位していると判定した場合（ステップＳ４０４：ＹＥＳ）、制御部２０は、選択データが０であるか否かを判定する（ステップＳ４０５）。選択データが０であると判定した場合（ステップＳ４０５：ＹＥＳ）、制御部２０は、変位部材１５０ｆの位置に応じて音量データの値を変更する（ステップＳ４０６）。
【００８８】
ステップＳ４０６の処理を終えた場合、又はステップＳ４０５において選択データが０でないと判定した場合（ステップＳ４０５：ＮＯ）、制御部２０は、選択データが１であるか否かを判定する（ステップＳ４０７）。選択データが１であると判定した場合（ステップＳ４０７：ＹＥＳ）、制御部２０は、変位部材１５０ｆの位置に応じて再生速度データの値を変更する（ステップＳ４０８）。
【００８９】
ステップＳ４０８の処理を終えた場合、又はステップＳ４０７において選択データが１でないと判定した場合（ステップＳ４０７：ＮＯ）、制御部２０は、選択データが２であるか否かを判定する（ステップＳ４０９）。選択データが２であると判定した場合（ステップＳ４０９：ＹＥＳ）、制御部２０は、変位部材１５０ｆの位置に応じて拡大率データの値を変更する（ステップＳ４１０）。
【００９０】
ステップＳ４１０の処理を終えた場合、又はステップＳ４０９において選択データが２でないと判定した場合（ステップＳ４０９：ＮＯ）、制御部２０は、選択データが３であるか否かを判定する（ステップＳ４１１）。選択データが３であると判定した場合（ステップＳ４１１：ＹＥＳ）、制御部２０は、変位部材１５０ｆの位置に応じて表示部４０の明るさを変更する（ステップＳ４１２）。
【００９１】
ステップＳ４１２の処理を終えた場合、又はステップＳ４１１において選択データが３でないと判定した場合（ステップＳ４１１：ＮＯ）、制御部２０は、選択データが４であるか否かを判定する（ステップＳ４１３）。選択データが４であると判定した場合（ステップＳ４１３：ＹＥＳ）、制御部２０は、変位部材１５０ｆの位置に応じて表示部４０の色合いを変更する（ステップＳ４１４）。
【００９２】
ステップＳ４１４の処理を終えた場合、ステップＳ４１３において選択データが４でないと判定した場合（ステップＳ４１３：ＮＯ）、又はステップＳ４０４において変位部材１５０ｆが変位していないと判定した場合（ステップＳ４０４：ＮＯ）、制御部２０は、調整に係るサブルーチンの処理を終える。
【００９３】
実施の形態２に係る撮像装置のその他の構成、作用及び効果は、実施の形態１に係る撮像装置の構成、作用及び効果と同様であるため、同様の箇所には同様の符号を付して詳細な説明を省略する。
【００９４】
実施の形態２に係る撮像装置にあっては、第２操作部１０５ｇが操作される都度、選択データの値が変化、つまり第１操作部１０５ｆに係る調整対象が順次変化する。そして、第２操作部１０５ｇの操作状態を検出して、選択データに係る調整対象を調整する。従って、第１操作部１０５ｆの操作により、画角、音量、再生速度、拡大率、表示部４０の明るさ、及び色合いを調整することができる。
また、ステップＳ４０３の処理により調整対象が表示部４０に表示されるため、第１操作部１０５ｆに係る調整対象を視認することができる。
【００９５】
なお、実施の形態２にあっては、第２操作部１０５ｇにより、調整対象を選択しているが、これに限らず、第１操作部１０５ｆにより、調整対象を選択するように構成しても良い。
【００９６】
（実施の形態３）
実施の形態３に係る撮像装置は、実施の形態２の撮像装置と同様の構成であり、制御部２０の処理手順が異なる。
【００９７】
図１１は、画角、ファインダ４１の明るさ及び色合いの調整に係るサブルーチンの処理手順を示すフローチャートである。制御部２０は、図５に示すステップＳ１０３及びステップＳ１０４の処理に代えて、図１１に示すステップＳ５０１乃至ステップＳ５１０の処理を実行することにより、ファインダ４１の明るさ、色合い及び画角を調整する。つまり、ステップＳ１０２の処理を終えた後、ステップＳ１０５の処理を実行する前に、ステップＳ１０３及びステップＳ１０４の処理を行わず、ステップＳ５０１乃至ステップＳ５１０の処理を実行する。
【００９８】
ステップＳ１０２の処理を終えた場合、制御部２０は、第２操作部１０５ｇの操作状態を検出し、第２操作部１０５ｇがオンの状態にあるか否かを判定する（ステップＳ５０１）。第２操作部１０５ｇがオンの状態にあると判定した場合（ステップＳ５０１：ＹＥＳ）、制御部２０は、選択データを変更する（ステップＳ５０２）。選択データは、０から２の範囲で循環するように変更する。
【００９９】
ステップＳ５０２の処理を終えた場合、又はステップＳ５０１において第２操作部１０５ｇがオンの状態にないと判定した場合（ステップＳ５０１：ＮＯ）、制御部２０は、選択データに係る調整対象を示す画像を表示部４０に表示する（ステップＳ５０３）。
【０１００】
次いで、制御部２０は、第１操作部１０５ｆの操作状態、即ち変位部材１５０ｆの位置を検出して、変位部材１５０ｆが変位しているか否かを判定する（ステップＳ５０４）。変位部材１５０ｆが変位していると判定した場合（ステップＳ５０４：ＹＥＳ）、制御部２０は、選択データが０であるか否かを判定する（ステップＳ５０５）。選択データが０であると判定した場合（ステップＳ５０５：ＹＥＳ）、制御部２０は、変位部材１５０ｆの位置に応じて、レンズ群１０を移動させ、画角を変更する（ステップＳ５０６）。
【０１０１】
ステップＳ５０６の処理を終えた場合、又はステップＳ５０５において選択データが０でないと判定した場合（ステップＳ５０５：ＮＯ）、制御部２０は、選択データが１であるか否かを判定する（ステップＳ５０７）。選択データが１であると判定した場合（ステップＳ５０７：ＹＥＳ）、制御部２０は、変位部材１５０ｆの位置に応じてファインダ４１の明るさを変更する（ステップＳ５０８）。
【０１０２】
ステップＳ５０８の処理を終えた場合、又はステップＳ５０７において選択データが１でないと判定した場合（ステップＳ５０７：ＮＯ）、制御部２０は、選択データが２であるか否かを判定する（ステップＳ５０９）。選択データが２であると判定した場合（ステップＳ５０９：ＹＥＳ）、制御部２０は、変位部材１５０ｆの位置に応じてファインダ４１の色合いを変更する（ステップＳ５１０）。
【０１０３】
ステップＳ５１０の処理を終えた場合、ステップＳ５０９において選択データが２でないと判定した場合（ステップＳ５０９：ＮＯ）、又はステップＳ５０４において変位部材１５０ｆが変位していないと判定した場合（ステップＳ５０４：ＮＯ）、制御部２０は、ステップＳ１０５の処理を実行する。
【０１０４】
実施の形態３に係る撮像装置のその他の構成、作用及び効果は、実施の形態１又は実施の形態２に係る撮像装置の構成、作用及び効果と同様であるため、同様の箇所には同様の符号を付して詳細な説明を省略する。
【０１０５】
実施の形態３に係る撮像装置にあっては、撮像モードにおいて第２操作部１０５ｇが操作される都度、選択データの値が変化、つまり第１操作部１０５ｆに係る調整対象が順次変化する。そして、第２操作部１０５ｇの操作状態を検出して、選択データに応じた調整対象を調整する。従って、撮像モードにおいて第１操作部１０５ｆの操作により、画角、ファインダ４１の明るさ及び色合いを調整することができる。
【０１０６】
（実施の形態４）
実施の形態４に係る撮像装置は、実施の形態２の撮像装置と同様の構成であり、制御部２０の処理手順が異なる。但し、本実施の形態に係る撮像装置は、第２操作部１０５ｇを備えていない。
【０１０７】
電源スイッチがオンになった場合、制御部２０は、ステップＳ１の処理を実行し、ステップＳ２において各種データの初期設定を行う。特に、制御部２０は選択データに０を設定する。選択データは、再生に係る調整対象を示すデータである。以下、制御部２０は、図４乃至図６に示した処理と同様の処理を実行する。
【０１０８】
図１２は、調整対象の調整に係るサブルーチンの処理手順を示すフローチャートである。制御部２０は、ステップＳ２０８において、調整に係るサブルーチンを呼び出した場合、第２操作部１０５ｇの操作状態を検出し、変位部材１５０ｆがオンの状態にあるか否かを判定する（ステップＳ６０１）。変位部材１５０ｆがオンの状態にあると判定した場合（ステップＳ６０１：ＹＥＳ）、制御部２０は、選択データに係る調整対象を示す画像を表示部４０に表示する（ステップＳ６０２）。
【０１０９】
ステップＳ６０２の処理を終えた場合、制御部２０は、変位部材１５０ｆの位置を検出する（ステップＳ６０３）。そして、制御部２０は、変位部材１５０ｆの位置に応じて、選択データの値を変更する（ステップＳ６０４）。ステップＳ６０４の処理を終えた場合、制御部２０は、第２操作部１０５ｇの操作状態を検出して、変位部材１５０ｆがオンの状態にあるか否かを判定する（ステップＳ６０５）。変位部材１５０ｆがオンの状態にないと判定した場合（ステップＳ６０５：ＮＯ）、制御部２０は、処理をステップＳ６０２へ戻す。
【０１１０】
変位部材１５０ｆがオンの状態にあると判定した場合（ステップＳ６０５：ＹＥＳ）、又はステップＳ６０１において変位部材１５０ｆがオンの状態にないと判定した場合（ステップＳ６０１：ＮＯ）、制御部２０は、ステップＳ４０４の処理を実行する。ステップＳ４０４以下の処理は、図９に示すステップＳ４０４からステップＳ４１４までの処理と同様である。
【０１１１】
実施の形態４に係る撮像装置のその他の構成、作用及び効果は、実施の形態１又は実施の形態２に係る撮像装置の構成、作用及び効果と同様であるため、同様の箇所には同様の符号を付して詳細な説明を省略する。
【０１１２】
実施の形態４に係る撮像装置にあっては、第１操作部１０５ｆの操作状態、即ち変位部材１５０ｆの位置に応じて調整対象を選択し、選択された調整対象を調整することができる。
【０１１３】
（実施の形態５）
実施の形態５に係る撮像装置は、実施の形態１と同様の構成である。但し、本実施の形態に係る撮像装置は、第２操作部５ｇを備えていない。
【０１１４】
電源スイッチがオンになった場合、制御部２０は、ステップＳ１の処理を実行し、ステップＳ２において各種データの初期設定を行う。特に、制御部２０は選択データに０を設定する。選択データは、再生に係る調整対象を示すデータである。以下、制御部２０は、図４乃至図６に示した処理と同様の処理を実行する。
【０１１５】
図１３は、調整対象の調整に係るサブルーチンの処理手順を示すフローチャートである。制御部２０は、ステップＳ２０８において、調整に係るサブルーチンを呼び出した場合、メニュー表示ボタン５ａの操作状態を検出して、メニュー表示ボタン５ａがオンの状態にあるか否かを判定する（ステップＳ７０１）。メニュー表示ボタン５ａがオンの状態にあると判定した場合（ステップＳ７０１：ＹＥＳ）、制御部２０は、調整対象の設定を受け付けるためのメニュー画像９を表示する（ステップＳ７０２）。
図１４は、メニュー画像の一例を示す模式図である。表示部４０に表示された動画には、各調整対象、即ち音量、再生速度、再生ズーム、明るさ、色合いを夫々示す画像９ａ、９ｂ、９ｃ、９ｄ、９ｅと、矢印９ｆとがＯＳＤ表示されている。画像９ａ、９ｂ、９ｃ、９ｄ、９ｅの上部には、夫々「音量」、「再生速度」、「再生ズーム」、「明るさ」、「色合い」の文字がＯＳＤ表示されている。矢印９ｆは、設定される調整対象を示している。
【０１１６】
次いで、制御部２０は、調整対象の設定を受け付ける（ステップＳ７０３）。具体的には、制御部２０は、十字キー５ｂ及び決定ボタン５ｃの操作状態を検出することにより、調整対象の設定を受け付ける。十字キー５ｂが操作された場合、制御部２０は、矢印９ｆを左右に移動させる。そして、決定ボタン５ｃが押されたときに矢印９ｆが示している調整対象を、選択された調整対象として制御部２０は受け付ける。調整対象の設定を受け付けた場合、制御部２０は、受け付けた調整対象に対応する０から４のいずれかの値を選択データに設定する（ステップＳ７０４）。
【０１１７】
ステップＳ７０４の処理を終えた場合、又はステップＳ７０１においてメニュー表示ボタン５ａがオンの状態にないと判定した場合（ステップＳ７０１：ＮＯ）、制御部２０は、ステップＳ４０４の処理を実行する。ステップＳ４０４以下の処理は、図９に示すステップＳ４０４からステップＳ４１４までの処理と同様である。
【０１１８】
実施の形態５に係る撮像装置のその他の構成、作用及び効果は、実施の形態１に係る撮像装置の構成、作用及び効果と同様であるため、同様の箇所には同様の符号を付して詳細な説明を省略する。
【０１１９】
実施の形態５に係る撮像装置にあっては、メニュー画像９を表示して調整対象の設定を受けて、受け付けた設定に応じて選択データを変更する。そして、第１操作部１０５ｆの操作状態を検出して、選択データに係る調整対象を調整する。従って、第１操作部１０５ｆの操作により、画角、音量、再生速度、拡大率、表示部４０の明るさ、及び色合いを調整することができる。
【図面の簡単な説明】
【０１２０】
【図１】本発明に係る撮像装置の略示斜視図である。
【図２】第２筐体の一部を模式的に示す上面図である。
【図３】撮像装置の構成を示すブロック図である。
【図４】撮像した動画及び動画に付随する音声の記録及び再生に係る制御部の処理手順を示すフローチャートである。
【図５】動画の撮像及び記録に係るサブルーチンの処理手順を示すフローチャートである。
【図６】動画の再生に係るサブルーチンの処理手順を示すフローチャートである。
【図７】調整対象の調整に係るサブルーチンの処理手順を示すフローチャートである。
【図８】実施の形態２に係る第２筐体の一部を模式的に示す上面図である。
【図９】調整対象の調整に係るサブルーチンの処理手順を示すフローチャートである。
【図１０】表示部に表示された調整対象の一例を示す画像の模式図である。
【図１１】画角、ファインダの明るさ及び色合いの調整に係るサブルーチンの処理手順を示すフローチャートである。
【図１２】調整対象の調整に係るサブルーチンの処理手順を示すフローチャートである。
【図１３】調整対象の調整に係るサブルーチンの処理手順を示すフローチャートである。
【図１４】メニュー画像の一例を示す模式図である。
【符号の説明】
【０１２１】
５ａ  メニュー表示ボタン
５ｂ  十字キー
５ｃ  決定ボタン
５ｄ  モード切換スイッチ
５ｅ  記録再生ボタン
５ｆ  第１操作部
５ｇ  第２操作部
５ｈ  一時停止ボタン
１０  レンズ群
１１  第１筐体
１２  第２筐体
２０  制御部
２１  撮像素子
２２  レンズ駆動部
２３  信号処理部
２４  メモリ
２５  データ処理部
２６  Ｉ／Ｏ部
４０  表示部
４１  ファインダ
【図１】
2006074633.tif 000003
【図２】
2006074633.tif 000004
【図３】
2006074633.tif 000005
【図４】
2006074633.tif 000006
【図５】
2006074633.tif 000007
【図６】
2006074633.tif 000008
【図７】
2006074633.tif 000009
【図８】
2006074633.tif 000010
【図９】
2006074633.tif 000011
【図１０】
2006074633.tif 000012
【図１１】
2006074633.tif 000013
【図１２】
2006074633.tif 000014
【図１３】
2006074633.tif 000015
【図１４】
2006074633.tif 000016